(57)【要約】【課題】従来の画像処理回路は４８０Ｉあるいは４８０Ｐで４：３の画角をもった信号は１６：９の画面に表示するために各種アスペクトモードに変換する機能を持つが、１０８０Ｉ信号を横方向あるいは縦方向に伸張する機能は持たないので、１０８０Ｉでサイドパネルを含む信号の場合は、ユーザはサイドパネルを除いて表示するようなアスペクト切替はできないかあるいはコストアップせざるを得ない。【解決手段】サイドパネルを含むＨＤ映像の場合に特定のキーの押下をマイクロコントローラ１０５で判断し、ＡＶデコーダ１０９をマイクロコントローラ１０５で制御しサイドパネル部分をカットした４８０Ｐ信号として出力するように制御し、映像信号処理回路１０３で通常の４８０Ｉあるいは４８０Ｐの４：３映像としてのアスペクト切替をできるようにする。【選択図】図１
2005333535.tif 000002
【特許請求の範囲】
【請求項１】
デジタル放送受信機において、デジタル放送電波から特定チャンネルを選局して各種ＥＳを得るデジタルチューナと、各種ＥＳをデコードして映像信号や音声信号を得るＡＶデコーダと、各周辺回路を制御するマイクロコントローラと、該ＡＶデコーダから映像信号を受けてアスペクト制御を行う映像信号処理回路と、画面に文字や図形を表示するＲＧＢ信号を発生するＯＳＤ表示回路を備え、サイドパネルを含むＨＤ信号の場合に特定のキーを押下を該マイクロコントローラで検出し、該ＡＶデコーダを該マイクロコントローラで制御しサイドパネル部分をカットした４８０Ｐ信号として出力するようにすることで、該映像信号処理回路において４：３の４８０Ｐ信号としての通常のアスペクト選択ができるようにして、サイドパネル部分を除いた映像部分を１６：９画面全体に表示できるようにしたことを特徴とするデジタル放送受信機。
【請求項２】
予約録画あるいは予約視聴の機能を更に備え、予約した番組の映像がサイドパネルを含むＨＤ信号の場合に、予約実行開始時に該ＡＶデコーダを該マイクロコントローラで制御しサイドパネル部分をカットした４８０Ｐ信号として出力するように予約の設定時に設定しておくことで、予約録画出力をサイドパネル部分を除いた映像部分のみ出力して映像部分のみを録画できるようにすることを特徴とする請求項１記載のデジタル放送受信機。
【発明の詳細な説明】
【技術分野】
【０００１】
本発明は、ＣＲＴ、液晶ディスプレイ、プラズマディスプレイなどの表示デバイスを有するデジタル放送受信機に関するものである。
【背景技術】
【０００２】
デジタル放送受信機能を備えたテレビジョン受信機において、４：３のＳＤ画質の映像を１６：９の画面に表示するとき、画面一杯に表示するために横方向に伸張して表示したり、４：３レターボックス信号の場合に横に伸張すると同時に縦に拡大表示して表示したり、画面中央付近は真円率を保ち、周辺部は横方向に伸張して表示するようにユーザがアスペクトモードを選択できる技術は実用されている。
【０００３】
実用されているデジタル放送受信機は、リモコンなどからアスペクト切替を指示するキーが発せられた場合、マイクロコントローラがアスペクト切り替えキー受信を認識し、映像信号処理回路に対して前記の各種アスペクトモードで表示するように制御したり、現在選択中のアスペクトモードをオンスクリーン表示したりしている。ただし１０８０インターレース（以下、１０８０Ｉと記す）や７２０プログレッシブ（以下、７２０Ｐと記す）のＨＤ画質映像の場合は基本的に１６：９の映像信号であることから、このアスペクトモードの選択は無効としているのが一般的である。
【０００４】
一方、映像がサイドパネル信号やレターボックス信号であっても画面の利用効率が低下しないように表示する手段も公知である（例えば、特許文献１参照）。
【０００５】
図２に示すように、接続ＩＤ検出部２０４や付加情報検出部２０８や無信号検出部２０９によって検出された入力映像信号の情報からマイクロプロセッサ２０５は入力映像信号がサイドパネル信号かレターボックス信号かフルライン信号かを判断し、画像処理部２０７に対して複数画像表示や縮小画像表示の指示を出す際に、有効画像領域の信号のみを切り出し、有効画像領域の信号のみを使って画サイズの調整をして画像合成を行うようにする。これにより無駄な画像部分が表示処理されて画面の利用効率が向上する技術例があるが、複数の画像を同時表示する際にいかにレイアウトすれば画面の利用効率が上がるのかが焦点であり、一つの１０８０ＩのＨＤ信号のサイドパネル信号を画面一杯に表示するためにユーザにアスペクトを選択を可能にする本発明とは目的が異なる。また、接続ＩＤ検出部あるいは付加情報検出部あるいは無信号検出部などのいずれかの回路追加が必要であり、コストアップの必要があるという問題を有する。
【特許文献１】特開２００２−７７７６７号公報
【発明の開示】
【発明が解決しようとする課題】
【０００６】
また従来の画像処理回路は４８０インターレース（以下、４８０Ｉと記す）あるいは４８０プログレッシブ（以下、４８０Ｐと記す）で４：３の画角をもった信号は１６：９の画面に表示するために各種アスペクトモードに変換する機能を持つが、基本的に１６：９である１０８０Ｉ信号を横方向あるいは縦方向に伸張する機能は持たないので、ＳＤカメラで撮像した信号をＨＤ信号にアップコンバートした１０８０Ｉ信号でありながらサイドパネルを含む信号の場合は、ユーザはサイドパネルを除いて表示するようなアスペクト切替はできないかあるいはコストアップせざるを得ないという問題を有していた。
【課題を解決するための手段】
【０００７】
上記問題点を解決するために本発明のデジタル放送受信機は、デジタル放送電波から特定チャンネルを選局して各種ＥＳを得るデジタルチューナと、各種ＥＳをデコードして映像信号や音声信号を得るＡＶデコーダと、各周辺回路を制御するマイクロコントローラと、該ＡＶデコーダから映像信号を受けてアスペクト制御を行う映像信号処理回路と、画面に文字や図形を表示するＲＧＢ信号を発生するＯＳＤ表示回路を備え、サイドパネルを含むＨＤ信号の場合に特定のキーの押下を該マイクロコントローラで検出し、該ＡＶデコーダを該マイクロコントローラで制御しサイドパネル部分をカットした４８０Ｐ信号として出力するようにする。
【発明の効果】
【０００８】
以上のように本発明のデジタル放送受信機では、サイドパネルを含むＨＤ信号の場合に特定のキーの押下を該マイクロコントローラで検出し、該ＡＶデコーダを該マイクロコントローラで制御しサイドパネル部分をカットした４８０Ｐ信号として出力するようにすることで、特に従来の映像信号処理回路に追加回路を設けてコストアップすることなく、４：３の４８０Ｐ信号としての通常のアスペクト選択ができるようにして、サイドパネル部分を除いた映像部分を１６：９画面全体に表示することできる。
【発明を実施するための最良の形態】
【０００９】
本発明は、サイドパネルを含むＨＤ信号の場合に特定のキーの押下を該マイクロコントローラで検出し、該ＡＶデコーダを該マイクロコントローラで制御しサイドパネル部分をカットした４８０Ｐ信号として出力することが最も主要な本発明の特徴である。
【００１０】
（実施の形態１）
図１は、本発明装置の実施の形態１の構成図であって、１０１はリモコンや本体ボタンなどのキー入力回路、１０２はＵＶチューナやビデオ入力などのアナログ入力選択回路、１０３は表示アスペクトを切替て映像を表示する映像信号処理回路、１０４は表示デバイス駆動回路、１０５はマイクロコントローラ、１０６はＯＳＤ表示回路、１０７はデジタル放送受信アンテナ、１０８はデジタルチューナ、１０９はＴＳをデコードして映像信号に変換するＡＶデコーダである。
【００１１】
以上のように構成されたデジタル放送受信機について、以下その動作を説明する。
【００１２】
マイクロコントローラ１０５は、キー入力回路１０１からユーザのキー入力を受けてデジタルチューナ１０８やＡＶデコーダ１０９を制御し、任意のデジタル放送チャンネルを選局する。またマイクロコントローラ１０５はアナログ入力選択回路１０２や映像信号処理回路１０３を制御し、アナログ映像信号やデジタル映像信号を選択的に表示デバイス駆動回路１０４に出力させて、ユーザの意図する映像ソースを画面に表示する。さらにマイクロコントローラ１０５はＯＳＤ表示回路１０６を制御して、任意の文字や図形を画面に表示させることもできる。
【００１３】
さて、４８０Ｉや４８０Ｐの４：３映像を表示デバイス駆動回路１０４を通じて１６：９画面に表示する場合、そのまま表示すると画面の両端にサイドパネルが付加される。画面の利用効率を上げるためにユーザの好みによって画面一杯に表示させようとすると、マイクロコントローラ１０５はキー入力処理回路１０１から入力されるキーの押下に応じて、映像信号処理回路１０３を制御して横方向に伸張して表示したり、４：３レターボックス信号の場合に横に伸張すると同時に縦に拡大表示して表示したり、画面中央付近は真円率を保ち、周辺部は横方向に伸張して表示するようなアスペクトモードを選択する。また選択中のアスペクトモードをＯＳＤ表示回路にて画面上にオンスクリーン表示する。ただし１０８０Ｉや７２０ＰのＨＤ画質映像の場合は基本的に１６：９の映像信号であることから、このアスペクトモードの選択は無効としていることが普通であり、ＳＤカメラで撮像した信号をＨＤ信号にアップコンバートした１０８０Ｉ信号でありながらサイドパネルを含む信号の場合は、ユーザはサイドパネルを除いて表示することができないかまたはコストアップして１０８０Ｉや７２０Ｐの１６：９の映像信号でも拡大・縮小する必要があるという問題がある。
【００１４】
前記のサイドパネルを含んだままで映像の視聴を強いるか、あるいはコストアップして１６：９信号でも拡大・縮小せざるを得ない問題を回避する為には、ユーザがＨＤ画質の映像でもサイドパネルを含む映像と判断したら特定のキーを押下し、その指示に従ってサイドパネル部を切り取った４８０Ｉあるいは４８０Ｐの４：３映像に変換して通常のアスペクト切替動作ができればよい。
【００１５】
そこで、サイドパネルを含むＨＤ信号の場合に特定のキーの押下をキー入力回路１０１で検出してマイクロコントローラ１０５で判断し、ＡＶデコーダ１０９をマイクロコントローラ１０５で制御しサイドパネル部分をカットした４８０Ｐ信号として出力するように制御することで、映像信号処理回路１０３において４：３の４８０Ｐ信号としての通常のアスペクト選択ができるようにして、サイドパネル部分を除いた映像部分を１６：９画面全体に表示できるようにする。またこのサイドパネルをカットした状態を「サイドカット  オン」などとＯＳＤ表示回路にてオンスクリーン表示する。
【産業上の利用可能性】
【００１６】
前記のように、サイドパネルを含むＨＤ信号の場合に特定のキーの押下をマイクロコントローラで検出し、ＡＶデコーダをマイクロコントローラで制御しサイドパネル部分をカットした４８０Ｐ信号として出力するように制御し、映像信号処理回路で通常の４８０Ｉあるいは４８０Ｐの４：３映像としてのアスペクト切替をできるようにすることで、コストアップすることなく、ユーザの意図によってサイドパネルを含む１６：９映像であっても好みのアスペクトで画面一杯に表示することができる。
【００１７】
また本発明は、デジタル放送受信機が予約録画あるいは予約視聴の機能を備える場合に、予約した番組の映像がサイドパネルを含むＨＤ信号の場合に、予約実行開始時にＡＶデコーダをマイクロコントローラで制御しサイドパネル部分をカットした４８０Ｐ信号として出力するように予約の設定時に設定しておくことで、予約録画出力をサイドパネル部分を除いた映像部分のみ出力して映像部分のみを録画できるようにすることも可能である。
【００１８】
また本発明は、テレビジョン受信機の分野のみならず、ＤＶＤ録画再生機やハードディスク録画機など、デジタル放送受信機能を組み込む各種民生機器においても同様な効果が得られる。
【図面の簡単な説明】
【００１９】
【図１】本発明の一実施例におけるデジタル放送受信機のブロック構成図
【図２】従来のテレビジョン受信機のブロック構成図
【符号の説明】
【００２０】
１０１    キー入力回路
１０２    アナログ入力選択回路
１０３    映像信号処理回路
１０４    表示デバイス駆動回路
１０５    マイクロコントローラ
１０６    ＯＳＤ表示回路
１０７    デジタル放送受信アンテナ
１０８    デジタルチューナ
１０９    ＡＶデコーダ
２０１    Ｉ／Ｆ
２０２    入力信号選択
２０４    接続ＩＤ検出部
２０５    マイクロプロセサ
２０６Ａ    ＡＤコンバータ
２０６Ｂ    ＡＤコンバータ
２０７    画像処理部
２０８    付加情報検出部
２０９    無信号検出部
２１１    画像メモリ
２１２    ＤＡコンバータ
２１３    ＣＲＴ
【図１】
2005333535.tif 000003
【図２】
2005333535.tif 000004